(57)【要約】【課題】  テレビジョン番組を視聴しながらユーザーが好みの音楽を同時に聞くことができ、テレビジョン番組中にBGMが挿入された場合に、ユーザー音楽と重なって聞きづらくなることを回避することが可能なテレビジョン受信機を提供する。【解決手段】  ＢＧＭ検出部が番組中の音声信号からＢＧＭが挿入されていることを検出した場合、  １、番組ＢＧＭ期間中はユーザ音楽を抑制またはミュートする（番組ＢＧＭ優先）  ２、バンドパスフィルタにより番組音声はセリフ部分のみ通過させ、ユーザ音楽と合成する（ユーザ音楽優先）  ３、番組ＢＧＭとユーザー音楽のどちらを優先するかをユーザ選択できるようにする  ４、番組ＢＧＭ検出時間分番組音声を遅延させる 【選択図】  図１
2009094796.tif 000002
【特許請求の範囲】
【請求項１】
テレビジョン放送を受信して番組映像、番組音声を視聴可能ならしめるテレビジョン受信機において、外部音声入力手段と、番組音声信号と外部音声入力信号とを合成出力する音声合成手段と、番組音声信号からBGMを検出し、BGMが検出された場合には、外部音声入力信号を抑制するように前記音声合成手段を制御するBGM検出手段とをさらに有することを特徴とするテレビジョン受信機。
【請求項２】
テレビジョン放送を受信して番組映像、番組音声を視聴可能ならしめるテレビジョン受信機において、外部音声入力手段と、番組音声信号と外部音声入力信号とを合成出力する音声合成手段と、番組音声信号からBGMを検出し、BGMが検出された場合には、番組音声信号のセリフ以外の音声を抑制するように前記音声合成手段を制御するBGM検出手段とをさらに有することを特徴とするテレビジョン受信機。
【請求項３】
テレビジョン放送を受信して番組映像、番組音声を視聴可能ならしめるテレビジョン受信機において、外部音声入力手段と、番組音声信号と外部音声入力信号とを合成出力する音声合成手段と、ユーザーからの番組音声信号と外部音声入力信号との優先選択を受けるユーザI/F手段と、番組音声信号からBGMを検出し、前記ユーザーI/F手段で番組音声信号優先が選択され、かつ番組音声信号からBGMが検出された場合には外部音声入力信号を抑制し、そうでなく前記ユーザーI/F手段で外部音声入力信号優先が選択され、かつ番組音声信号からBGMが検出された場合には番組音声信号のセリフ以外の音声を抑制するように前記音声合成手段を制御するBGM検出手段とをさらに有することを特徴とするテレビジョン受信機。
【請求項４】
テレビジョン放送を受信して番組映像、番組音声を視聴可能ならしめるテレビジョン受信機において、外部音声入力手段と、番組音声信号を一定時間遅延させる遅延手段と、該遅延された番組音声信号と外部音声入力信号とを合成出力する音声合成手段と、番組音声信号からBGMを検出し、BGMが検出された場合には、外部音声入力信号を抑制するように前記音声合成手段を制御するBGM検出手段とをさらに有し、上記遅延時間が上記番組音声信号からBGMを検出するのに要する時間であることを特徴とするテレビジョン受信機。
【発明の詳細な説明】
【技術分野】
【０００１】
本発明はテレビジョン放送を視聴しながら、外部入力した音楽を同時に聞くことが可能なテレビジョン受信機に関するものである。
【背景技術】
【０００２】
従来よりテレビジョン受信機は、チューナーで受信したテレビジョン放送番組を視聴できると共に、外部入力端子から入力したビデオ、オーディオ信号を上記テレビジョン放送番組と切り替えて表示手段、スピーカ手段から出力せしめることが可能であった。
【０００３】
また特許文献１に開示されているように、テレビジョン放送が終了した場合には、ホームサーバーまたは記憶媒体から静止画像のスライドやBGMを読み出して視聴可能にする提案がなされている。
【０００４】
また一方で、特許文献２及び特許文献３に開示されているように、テレビジョン放送番組にBGMが挿入されるシーンを検出し、これにより番組のハイライトシーンを検出する提案がなされている。
【特許文献１】特開２００２−２１８３３１号公報
【特許文献２】特開２００４−１４０６７５号公報
【特許文献３】特開２００６−１４０８５号公報
【発明の開示】
【発明が解決しようとする課題】
【０００５】
しかしながら、上述した従来のテレビジョン受信機では、テレビジョン放送番組の映像、音声を視聴しつつ、外部入力された音声（以下、ユーザー音楽とする）を同時に再生するようにした場合、番組中のハイライトシーン等にも挿入されるBGMと、ユーザー音楽とが重なって聞きづらくなってしまう課題があった。
【０００６】
またこの課題は上記特許文献１、特許文献２、特許文献３のいずれを用いても解決することができない。
【０００７】
そこで本発明は、BGM検出部において番組中の音声信号からBGMが挿入されていることを検出することにより上述した課題を解決することが可能なテレビジョン受信機を提供することを目的とする。
【課題を解決するための手段】
【０００８】
上述した課題を解決するために、本発明第一の実施の形態は、テレビジョン放送を受信して番組映像、番組音声を視聴可能ならしめるテレビジョン受信機において、外部音声入力手段と、番組音声信号と外部音声入力信号とを合成出力する音声合成手段と、番組音声信号からBGMを検出し、BGMが検出された場合には、外部音声入力信号を抑制するように前記音声合成手段を制御するBGM検出手段とをさらに有することを特徴とする。
【０００９】
本発明第二の実施の形態は、テレビジョン放送を受信して番組映像、番組音声を視聴可能ならしめるテレビジョン受信機において、外部音声入力手段と、番組音声信号と外部音声入力信号とを合成出力する音声合成手段と、番組音声信号からBGMを検出し、BGMが検出された場合には、番組音声信号のセリフ以外の音声を抑制するように前記音声合成手段を制御するBGM検出手段とをさらに有することを特徴とする。
【００１０】
本発明第三の実施の形態は、テレビジョン放送を受信して番組映像、番組音声を視聴可能ならしめるテレビジョン受信機において、外部音声入力手段と、番組音声信号と外部音声入力信号とを合成出力する音声合成手段と、ユーザーからの番組音声信号と外部音声入力信号との優先選択を受けるユーザーI/F手段と、番組音声信号からBGMを検出し、前記ユーザーI/F手段で番組音声信号優先が選択され、かつ番組音声信号からBGMが検出された場合には外部音声入力信号を抑制し、そうでなく前記ユーザーI/F手段で外部音声入力信号優先が選択され、かつ番組音声信号からBGMが検出された場合には番組音声信号のセリフ以外の音声を抑制するように前記音声合成手段を制御するBGM検出手段とをさらに有することを特徴とする。
【００１１】
本発明第四の実施の形態は、テレビジョン放送を受信して番組映像、番組音声を視聴可能ならしめるテレビジョン受信機において、外部音声入力手段と、番組音声信号を所望時間遅延させる遅延手段と、該遅延された番組音声信号と外部音声入力信号とを合成出力する音声合成手段と、番組音声信号からBGMを検出し、BGMが検出された場合には、外部音声入力信号を抑制するように前記音声合成手段を制御するBGM検出手段とをさらに有し、上記遅延時間が上記番組音声信号からBGMを検出するのに要する時間であることを特徴とする。
【発明の効果】
【００１２】
本発明によれば、テレビジョン放送番組を見ながら好きな音楽を聴いても聞きづらくなることが低減され、番組のハイライト以外のシーン（ほとんどはBGMがない）に好きな音楽をBGMとして合成して楽しむことが可能となる。
【発明を実施するための最良の形態】
【００１３】
次に、本発明の詳細を実施の形態の記述に従って説明する。
［第一の実施の形態］
本発明第一の実施の形態は、BGM検出部が番組中の音声信号からBGMが挿入されていることを検出した場合、番組BGM期間中はユーザー音楽を抑制またはミュートする構成である（番組BGM優先）。
【００１４】
それでは図面を参照して本発明第一の実施の形態について詳細に説明する。
【００１５】
図１は本発明第一の実施の形態にかかるテレビジョン受信機の構成例を示すブロック図である。本ブロックは、チューナー部１０１、デマルチプレクサ部１０２、オーディオデコーダ部１０３、ビデオデコーダ部１０４、外部入力部１０５、ＢＧＭ検出部１０６、音声合成部１０７、アンプ部１０８、スピーカ部１０９、表示制御部１１０、表示部１１１からなる。ただし、実線はデータ腺を、破線は制御線を示すものとする。
【００１６】
（チューナー部）
アンテナより受信したテレビジョン放送信号は、チューナー部１０１に入力され、受信すべきチャンネルの情報（周波数、トランスポートストリームID）をデマルチプレクサ部１０２より得て、周波数を切り替え、所望のＴＳ（トランスポートストリーム）信号を出力する。
【００１７】
（デマルチプレクサ部）
上記ＴＳ信号は、該デマルチプレクサ部１０２において、ＭＰＥＧ（Moving Picture Experts Group）-２のオーディオストリーム、ビデオストリーム、ＰＳＩ（Program Specific Information）セクションにデマルチプレクスされ、オーディオストリームはオーディオデコーダ部１０３へ、ビデオストリームはビデオデコーダ部１０４へ出力される。ＰＳＩセクションは番組に関する情報を得るために必要なＳＩ(Service Information)が取得され、チューナー手段の制御に用いられる。
【００１８】
（オーディオデコーダ部）
オーディオデコーダ部１０３は、上述したデマルチプレクサ部１０２より入力されたオーディオストリームに対して、ARIB（電波産業会）規格書「ARIB STD-B21第6章6.2音声復号処理及び出力」に記載されているオーディオ復号処理を行い、ＢＧＭ検出部１０６、音声合成部１０７に出力する。
【００１９】
（ビデオデコーダ部）
ビデオデコーダ部１０４は、上述したデマルチプレクサ部１０２より入力されたビデオストリームに対して、ARIB規格書「ARIB STD-B21第6章6.1映像復号処理及び出力」に記載されているビデオ復号処理を行い、該復号処理されたビデオ信号は後述の表示制御部１１１へ出力する。
【００２０】
（外部入力部）
外部入力部１０５は、ＲＣＡコネクタ経由のアナログオーディオ信号、S/PDIF(Sony Philips Digital InterFace)経由の光デジタルオーディオ信号等のユーザー音楽を、外部オーディオ機器から入力するためのＩ／Ｆ部であり、該入力されたユーザー音楽は後述する音声合成部１０７へ出力される。また該外部入力部１０５はSD(Secure Digital)メモリカード等のメモリカードI/Fとしても良く、この場合にはSDメモリーカード内のMP3(MPEG-1 Audio Layer-3)等の汎用の圧縮音声ファイルを読み出して復号化する手段を該外部入力部に設ける。
【００２１】
（ＢＧＭ検出部）
ＢＧＭ検出部１０６は、上述したオーディオデコーダ部１０３から出力された番組音声信号を分析して、番組にＢＧＭが挿入されたか否かの検出を行う。
【００２２】
該BGMの検出は、人間の音声周波数帯域外の４００Ｈｚ以下の低域成分、ならびに４００ＫＨｚ以上の高域成分が閾値以上含まれているか否かにより判定を行う。また特許文献２に開示されているように、各種楽器に特有の信号パターンや人間の声とは異なる楽曲に特有な信号パターンから検出しても良い。
【００２３】
（音声合成部）
音声合成部１０７は、上述したオーディオデコーダ部１０３より入力されたテレビジョン番組音声信号と、上述した外部入力部１０５より入力されたユーザー音楽を合成してアンプ部１０８に出力する。またこの合成時の音量制御を上述したBGM検出部１０６の判定結果に応じて行う。
【００２４】
ここで該音声合成部の動作について図２のブロック図及び図１０のフロー図を用いて説明する。本発明第一の実施の形態においては、番組中にBGMが挿入されたのを検出した場合（S1001）、音量調整部１０７２においてユーザー音楽の音量を抑制して（S1002）、番組のBGMを優先するように制御する。そうでなく番組中にBGMが挿入されていないと判定された場合には、上記音量の抑制はされず、ユーザー音楽はそのまま合成部１０７１に出力される。そして該音量調整されたユーザー音楽と、オーディオデコーダ部１０３より入力される番組音声は合成部１０７１において合成されてアンプ部１０８に出力される（S1003）。
【００２５】
（アンプ部、スピーカ部）
上述した音声合成部１０７から出力された音声信号はアンプ部１０８において増幅され、スピーカ部１０９より出力される。
【００２６】
（表示制御部、表示部）
上述したビデオデコーダ部１０４において復号化されたビデオ信号は、表示制御部１１０において表示部１１１に表示可能な信号に変換されて表示部１１１に表示出力される。
【００２７】
以上のように構成することにより、テレビジョン番組を視聴しながらユーザーが好みの音楽を同時に聞くことができ、テレビジョン番組中にBGMが挿入された場合にはユーザー音楽は自動的に抑制されるため、聞きづらくなることを回避することが可能となる。
［第二の実施の形態］
本発明第二の実施の形態は、BGM検出部が番組中の音声信号からBGMが挿入されていることを検出した場合、番組音声はセリフ部分のみ聞こえるようにし、ユーザー音楽と合成する構成である（ユーザー音楽優先）。
【００２８】
それでは図面を参照して本発明第二の実施の形態について詳細に説明する。本発明第二の実施の形態の全体構成は、本発明第一の実施の形態同様に図１の構成であり、音声合成部１０７のみが異なる。そのため音声合成部１０７についてのみ、図３のブロック図および図１１のフロー図を用いて説明する。
【００２９】
BGM検出部１０６が番組中の音声信号からBGMが挿入されていることを検出した場合（S1101）、オーディオデコーダ部１０３において復号化されたテレビジョン放送の音声信号は、BGM抑制部１０７３においてセリフ以外の音声が抑制される（S1102）。そうでなくBGMが挿入されていないと判定された場合には、上記BGM抑制部１０７３での処理はスルーされる。そして該BGM抑制部１０７３から出力された番組音声信号と外部入力部１０５から入力されるユーザー音楽は合成部１０７４において合成され、アンプ部１０８に出力される（S1103）。
【００３０】
ただし、BGM抑制部１０７３においてなされるBGM抑制はバンドパスフィルターにより番組BGMの高域成分（４KHｚ以上）と低域成分（４００Hz以下）を抑制することにより行う。
【００３１】
以上のように構成することにより、テレビジョン番組を視聴しながらユーザーが好みの音楽を同時に聞くことができ、テレビジョン番組中にBGMが挿入された場合には、該テレビジョン番組中に挿入されたBGMのみが自動的に抑制されるため、聞きづらくなることを回避することが可能となる。
［第三の実施の形態］
本発明第三の実施の形態は、BGM検出部が番組中の音声信号からBGMが挿入されていることを検出した場合、番組BGMとユーザー音楽のどちらを優先するかをユーザーが選択できる構成である。
【００３２】
それでは図面を参照して本発明第三の実施の形態について詳細に説明する。本発明第三の実施の形態の全体構成を図４に示す。本ブロックは、チューナー部４０１、デマルチプレクサ部４０２、オーディオデコーダ部４０３、ビデオデコーダ部４０４、外部入力部４０５、ＢＧＭ検出部４０６、ユーザーI/F部４０７、音声合成部４０８、アンプ部４０９、スピーカ部４１０、表示制御部４１１、表示部４１２からなる。
【００３３】
本発明第三の実施の形態は、ユーザーI/F部４０７及び音声合成部４０８以外は本発明第一の実施の形態と同様であるため説明を省略する。
【００３４】
それではユーザーI/F部４０７と音声合成部４０８について図５のブロック図と図１２のフロー図を参照して説明する。
【００３５】
ユーザーI/F部４０７は、番組BGMとユーザー音楽のどちらをユーザーが優先するかを選択するためのユーザーI/Fであり、この選択に基づいてBGM検出部４０６は音声合成部４０８を制御する。
【００３６】
BGM検出部４０６が番組中の音声信号からBGMが挿入されていることを検出した場合（S1201）、番組BGM優先の場合には、音量調整部４０８２においてユーザー音楽の音量を抑制する（S1203）ようにBGM検出部４０６は制御を行う。そうでなくユーザー音楽優先の場合には、テレビジョン放送の音声信号は、BGM抑制部４０８３においてセリフ以外の音声が抑制されるようにBGM制御部４０６は制御を行う（S1204）。またそうでなくステップS1201においてBGMが挿入されていないと判定された場合には、上記音量調整部４０８２ならびにBGM抑制部４０８３での処理はスルーされる。そして該番組音声信号とユーザー音楽は合成部４０８１において合成され、アンプ部４０９に出力される（S1205）。
【００３７】
以上のように構成することにより、テレビジョン番組を視聴しながらユーザーが好みの音楽を同時に聞くことができ、テレビジョン番組中にBGMが挿入された場合には、ユーザー選択により、ユーザー音楽またはテレビジョン番組中に挿入されたBGMが自動的に抑制されるため、聞きづらくなることを回避することが可能となる。
［第四の実施の形態］
まず本発明第四の実施の形態の趣旨について図６から図８の概念図を用いて説明する。図６から図８は縦軸に音声レベル、横軸は時間を示し、例えば本発明第一の実施の形態の場合であれば、図６のように番組中のBGM挿入を検出した時点からユーザー音楽のレベルを抑制して番組BGMを優先するように制御する。この番組中のBGM挿入の検出に要する時間が短ければ図７に示すようにユーザー音楽と番組BGMが重なって聴きづらくなることは無い。しかしながら誤検知防止のために番組BGM検出時間を長くとりたい場合には、図８に示すようにユーザー音楽を抑制するタイミングが遅れるためにTOLの期間はユーザー音楽と番組BGMが重なって聴きづらくなる。
【００３８】
そのため本発明第四の実施の形態は、番組音声データを合成する前に遅延させる手段を追加する。
【００３９】
本発明第四の実施の形態の全体構成を図９に示す。本ブロックは、チューナー部９０１、デマルチプレクサ部９０２、オーディオデコーダ部９０３、ビデオデコーダ部９０４、外部入力部９０５、ＢＧＭ検出部９０６、遅延部９０７、音声合成部９０８、アンプ部９０９、スピーカ部９１０、表示制御部９１１、表示部９１２からなる。本発明第四の実施の形態は、オーディオデコーダ部９０３と音声合成部９０８の間に遅延部９０７を追加し、復号後の番組音声データを所定時間遅延させる。該所定時間は、BGM検出部９０６においてなされる番組中のBGM挿入検出に要する時間に基づいて設定されたものである。BGM検出部９０６は遅延されない番組音声信号を用いてBGM検出を行うことは言うまでも無い。
【００４０】
なお、本発明第四の実施の形態において、遅延部９０７以外は本発明第一の実施の形態と同様であるため説明を省略する。
【００４１】
また本発明第四の実施の形態にかかる遅延部を追加した構成は、本発明第一の実施の形態（番組BGM優先）のみならず、本発明第二の実施の形態（ユーザー音楽優先）、本発明第三の実施の形態（どちらを優先するかユーザー選択）にも適用できることは言うまでも無い。
【図面の簡単な説明】
【００４２】
【図１】本発明第一の実施の形態にかかる全体構成を説明するためのブロック図
【図２】本発明第一の実施の形態にかかる音声合成部の構成を説明するためのブロック図
【図３】本発明第二の実施の形態にかかる音声合成部の構成を説明するためのブロック図
【図４】本発明第三の実施の形態にかかる全体構成を説明するためのブロック図
【図５】本発明第三の実施の形態にかかる音声合成部の構成を説明するためのブロック図
【図６】本発明第四の実施の形態について説明するための概念図
【図７】本発明第四の実施の形態について説明するための概念図
【図８】本発明第四の実施の形態について説明するための概念図
【図９】本発明第四の実施の形態にかかる全体構成を説明するためのブロック図
【図１０】本発明第一の実施の形態にかかるBGM検出処理を説明するためのフロー図
【図１１】本発明第二の実施の形態にかかるBGM検出処理を説明するためのフロー図
【図１２】本発明第三の実施の形態にかかるBGM検出処理を説明するためのフロー図
【符号の説明】
【００４３】
１０１  チューナー部
１０２  デマルチプレクサ部
１０３  オーディオデコーダ部
１０４  ビデオデコーダ部
１０５  外部入力部
１０６  BGM検出部
１０７  音声合成部
１０８  アンプ部
１０９  スピーカ部
１１０  表示制御部
１１１  表示部
１０７１  合成部
１０７２  音量調整部
１０７３  BGM抑制部
１０７４  合成部
４０１  チューナー部
４０２  デマルチプレクサ部
４０３  オーディオデコーダ部
４０４  ビデオデコーダ部
４０５  外部入力部
４０６  BGM検出部
４０７  ユーザーI/F部
４０８  音声合成部
４０９  アンプ部
４１０  スピーカ部
４１１  表示制御部
４１２  表示部
４０８１  合成部
４０８２  音量調整部
４０８３  BGM抑制部
９０１  チューナー部
９０２  デマルチプレクサ部
９０３  オーディオデコーダ部
９０４  ビデオデコーダ部
９０５  外部入力部
９０６  BGM検出部
９０７  遅延部
９０８  音声合成部
９０９  アンプ部
９１０  スピーカ部
９１１  表示制御部
９１２  表示部
【図１】
2009094796.tif 000003
【図２】
2009094796.tif 000004
【図３】
2009094796.tif 000005
【図４】
2009094796.tif 000006
【図５】
2009094796.tif 000007
【図６】
2009094796.tif 000008
【図７】
2009094796.tif 000009
【図８】
2009094796.tif 000010
【図９】
2009094796.tif 000011
【図１０】
2009094796.tif 000012
【図１１】
2009094796.tif 000013
【図１２】
2009094796.tif 000014